(57)【要約】      （修正有）【課題】稼働台数分に対応した作業者人数が必要となって、非効率的な状況も存在させることのない、エンジン式発電機を取り扱う分野において、発電機に関する運転情報の収集並びにその管理をシステム化でき、運転操作などにつき遠隔操作などが行える情報収集管理ボックス付き発電機を提供する。【解決手段】発電機の燃料タンク内第１警告センサと、下限に設けられた第２警告センサと、発電機の正常作動有無を検知する正常作動有無センサと、重故障有無を検知するセンサと、を有し、警告信号を取得する信号取得部と、警告信号を警告文章に置き換える変換制御部と、警告文を携帯端末へ送信する送受信部と、を有する情報収集管理ボックスを備え、警告文を送信すると共に、問い合わせ信号を受信し、発電機の停止動作あるいは動作状況などを返信し、自発的に発電機の停止や動作状況あるいは重故障有無状況を返信する、ことを特徴とする。【選択図】図１
0003156077.tif 000002
【実用新案登録請求の範囲】
【請求項１】
少なくとも、発電機の燃料タンク内第１警告位置に設けられたセンサと、前記第１警告位置より下限に設けられた第２警告センサと、発電機の正常作動有無を検知する正常作動有無センサと、発電機の重故障有無を検知するセンサと、を有し、
前記各センサからの警告信号を取得する信号取得部と、取得したそれぞれの警告信号を警告文章に置き換える変換制御部と、変換された警告文を、通信回線網を介して携帯端末へ送信する送受信部と、を有する情報収集管理ボックスと、
を備え、
前記送受信部からの警告文を携帯端末に送信すると共に、前記携帯端末からの問い合わせ信号を受信し、発電機の停止動作あるいは動作状況などを前記携帯端末に返信し、かつ、携帯端末からの問い合わせがなくとも自発的に発電機の停止や動作状況あるいは重故障有無状況を返信する、
ことを特徴とする情報収集管理ボックス付き発電機。
【考案の詳細な説明】
【技術分野】
【０００１】
本考案は、情報収集管理ボックス付き発電機に関するものである。
【背景技術】
【０００２】
従来、例えば、建設機械など（ブルドーザー、パワーショベル等）においては、この建設機械に内設した各種のセンサからデータを収集し、携帯電話のデータ通信機能や衛星によるデータ通信機能を用いて、前記収集したデータを基地サーバに集め、該収集したデータより建設機械などの稼働状況等を分析して、建設機械の営業戦略や販売促進に利用しているシステムの構築が知られている。
【０００３】
また、携帯電話を使用した他のシステムの構築の例としては、戸外で携帯電話を所有すると共に、家庭内にもう一台の携帯電話等携帯端末を設置し、該携帯電話等を、例えばモニター付きのリモコン操作信号を発信できる装置に接続しておき、戸外の携帯電話から家庭内の携帯電話に接続し、予め設定してあるリモコン操作を前記家庭内の携帯電話を介して行い、このリモコン操作で家庭電化製品（照明・エアコン・ビデオ・冷蔵庫・洗濯機・オーブン・パソコン等）を戸外より作動させるシステムの構築も知られている。
【０００４】
さらに、防犯対策システムにおいても、携帯電話を最大限使用して、該携帯電話により防犯警戒システムの作動状況の確認や防犯警戒システムの起動や解除、電気錠の施錠等が出来るシステムの構築も知られている。
【先行技術文献】
【特許文献】
【０００５】
【特許文献１】特開２００４−７６５７１号公報
【考案の概要】
【考案が解決しようとする課題】
【０００６】
しかしながら従来より、エンジン式発電機の運転管理、作業管理など例えば、発電機の運転情報の収集、管理などは伝統的に作業者の手動で行われているものであった。
具体的な事例を挙げれば、例えば、エンジン式発電機の使用状況確認動作に際しては、作業者が経験的な判断により負荷側の作業状況を想定しておき、これに基づき、前記作業者が適宜の時間に目視によって発電機の燃料消費状況を確認するものであった。そして、これらの状況判断の結果により、残り作動時間に対応する給油を実施していた。
【０００７】
また、その他エンジン式発電機の作動状況確認作業も、作業者の定期的な見まわりの目視により確認するものとされていた。特に騒音または振動等の大きな環境にあっては、作業者は近くに常時待機して作業状況を確認せざるを得ないものであった。
【０００８】
さらに、発電機１は、内蔵の燃料タンク内に設置されたセンサ（フロート式含む）により燃料下限に反応する給油ランプを点灯させており、この点灯ランプの確認作業も作業者の目視によるものとされていた。
【０００９】
また、発電機１は、冷却水温度の急上昇やエンジンオイル油圧の急低下、エンジンの過回転等を発電機１の重故障対応として処理し、それら重故障状態が起こったとき、或いは燃料残量の最下限値時には、発電機１のエンジンを停止するものとしていたが、かかる発電機１を停止させる必要があるとき、作業者が直接発電機１まで行き、手動でエンジンを停止させていたのである。
【００１０】
なお、近年では、前記重故障状態が起こったときなどは、前記発電機が自動的に停止するように構成されているものも存在している。
【００１１】
さらに、エンジン式発電機１は、消費される電気量に応じてエンジンの負荷が変わり、燃料の消費が一律でないため、複数台使用するエンジン式発電機１においては、あるいは遠隔な場所に設置されたエンジン式の発電機１においては、作業者は燃料残量について燃料消費をあらかじめ想定しておき、かつ当該発電機に近い場所に待機し、たえず残量を確認して必要量の燃料の補給をしなければならなかった。そのため、確認作業の際、給油するレベルまで燃料が消費されていない場合にあっては、結果として何度も再度確認作業に行かなければならないとの課題があった。
【００１２】
しかも、発電機の作動状況の確認は、作業者の定期的な見回りにより実施ししなければならないため、前述の如く、複数台数を稼動させている場合や離れた場所に当該発電機を設置して稼働させている場合には、当該見まわり作業に係わる拘束時間が長く、また、より多くの人員を確保しなければならなかった。
【００１３】
そして、現場における作業環境によっては、発電機の設置位置が作業者にとって必ずしも、簡単に移動出来うる位置的環境にないことがあり、このような場合には、発電機が停止していることを確認するためだけでも、大きな負担となり。特に騒音振動等の大きな作業環境にあっては、さらなる負担増となると共に、きわめて慎重な確認作業を要するものとなっていた。
【００１４】
さらには、作業者の定期的な巡回の合間において、発電機に何らかのトラブルの発生に起因するのか、または何らかの重故障を原因とするのかが判断し得ない様なエンジン停止の状況が発生し、しかもこれを把握できずに、当該発電機からの電気の供給が止まり、機器が停止することもあった。
【００１５】
例えば、発電により排水していた水中ポンプが停止する不具合とか、例えば、発電により点灯していた道路上の誘導灯が消えるとかの不具合である。
また、作業条件に応じて発電を停止したい場合、例えば複数台の発電機を同一時間に一斉に停止したい場合、現実的には、稼働台数分に対応した作業者人数が必要となり、非効率的な状況が存在することもあった。
【００１６】
しかして、エンジン式発電機を取り扱う分野においては、早急に前記発電機に関する運転情報の収集並びにその管理をシステム化し、かついわゆる前記の運転操作などにつき遠隔操作などが行えるシステムの構築が要請されていたのである。
【００１７】
かくして、本考案は前記従来の課題に対処すべく案出されたものであり、発電機を停止させる必要があるとき、作業者が発電機まで行き、手動でエンジンを停止させる必要がなく、複数又は、遠隔な場所に設置したエンジン式の発電機においても、前述のように、作業者が燃料残量について燃料消費を想定しながら当該発電機の近くに待機して残量を確認し、必要量の燃料の補給をする必要がなく、もって、給油するレベルまで燃料が消費されていない場合にあっても、結果として何度も確認する必要がなく、また、発電機の作動状況の確認は、作業者の定期的な見回りにより実施する必要がないため、複数台数を稼動させている場合や離れた場所に当該発電機を設置している場合にも、当該見まわり作業に係わる拘束時間を要することがなく、また作業環境によって、発電機の設置位置が作業者にとって必ずしも、簡単に移動出来うる位置的環境になく、停止していることを確認するためだけのために、見回りする必要がなく、定期的な巡回の合間に、発電機に何らかのトラブルの発生に起因するのか、または重故障を原因とするのかなどのエンジン停止の状況を把握できないこともなく、もって、突然、当該発電機からの電気の供給が止まり、機器が停止することがなく、さらには、発電機により排水していた水中ポンプが停止する不具合や、発電により点灯していた道路上の誘導灯が消えるとの不具合も招来させることなく、作業条件に応じて発電を停止したい場合、例えば複数の発電機を同一時間に一挙に停止したい場合、現実的には、稼働台数分に対応した作業者人数が必要となって、非効率的な状況も存在させることのない、いわゆるエンジン式発電機を取り扱う分野において、前記発電機に関する運転情報の収集並びにその管理をシステム化でき、かついわゆる前記の運転操作などにつき遠隔操作などが行える情報収集管理ボックス付き発電機を提供することを目的とするものである。
【課題を解決するための手段】
【００１８】
本考案による情報収集管理ボックス付き発電機は、
少なくとも、発電機の燃料タンク内第１警告位置に設けられたセンサと、前記第１警告位置より下限に設けられた第２警告センサと、発電機の正常作動有無を検知する正常作動有無センサと、発電機の重故障有無を検知するセンサと、を有し、
前記各センサからの警告信号を取得する信号取得部と、取得したそれぞれの警告信号を警告文章に置き換える変換制御部と、変換された警告文を、通信回線網を介して携帯端末へ送信する送受信部と、を有する情報収集管理ボックスと、
を備え、
前記送受信部からの警告文を携帯端末に送信すると共に、前記携帯端末からの問い合わせ信号を受信し、発電機の停止動作あるいは動作状況などを前記携帯端末に返信し、かつ、携帯端末からの問い合わせがなくとも自発的に発電機の停止や動作状況あるいは重故障有無状況を返信する、
ことを特徴とするものである。
【考案の効果】
【００１９】
本考案による情報収集管理ボックス付き発電機であれば、発電機を停止させる必要があるとき、作業者が発電機まで行き、手動でエンジンを停止させる必要がなく、複数又は、遠隔な場所に設置したエンジン式の発電機においても、前述のように、作業者が燃料残量について燃料消費を想定しながら当該発電機の近くに待機して残量を確認し、必要量の燃料の補給をする必要がなく、もって、給油するレベルまで燃料が消費されていない場合にあっても、結果として何度も確認する必要がなく、また、発電機の作動状況の確認は、作業者の定期的な見回りにより実施する必要がないため、複数台数を稼動させている場合や離れた場所に当該発電機を設置している場合にも、当該見まわり作業に係わる拘束時間を要することがなく、また作業環境によって、発電機の設置位置が作業者にとって必ずしも、簡単に移動出来うる位置的環境になく、停止していることを確認するためだけのために、見回りする必要がなく、定期的な巡回の合間に、発電機に何らかのトラブルの発生に起因するのか、または重故障を原因とするのかなどのエンジン停止の状況を把握できないこともなく、もって、突然、当該発電機からの電気の供給が止まり、機器が停止することがなく、さらには、発電機により排水していた水中ポンプが停止する不具合や、発電により点灯していた道路上の誘導灯が消えるとの不具合も招来させることなく、作業条件に応じて発電を停止したい場合、例えば複数の発電機を同一時間に一挙に停止したい場合、現実的には、稼働台数分に対応した作業者人数が必要となって、非効率的な状況も存在させることのない、いわゆるエンジン式発電機を取り扱う分野において、前記発電機に関する運転情報の収集並びにその管理をシステム化でき、かついわゆる前記の運転操作などにつき遠隔操作などが行えるとの優れた効果を奏する。
【図面の簡単な説明】
【００２０】
【図１】本考案による情報収集管理ボックス付き発電機の概略を説明する概略構成説明図（その１）である。
【図２】本考案による情報収集管理ボックス付き発電機の概略を説明する概略構成説明図（その２）である。
【図３】本考案による情報収集管理ボックス付き発電機の構成を説明するブロック図である。
【図４】考案による情報収集管理ボックスの構成を説明するブロック図である。
【図５】本考案の動作を説明する説明図である。
【考案を実施するための形態】
【００２１】
以下、本考案を図面に基づいて説明する。
【００２２】
図３は本考案による情報収集管理ボックス付き発電機を説明する概略説明図である。
ここで、情報収集管理ボックス付き発電機は、まず、エンジン式の発電機１と、該エンジン式発電機１に取り付けられた情報収集管理ボックス２とを有して構成されている。
【００２３】
そして、前記情報収集管理ボックス２は、前記エンジン式発電機１の燃料タンク５において、例えば、燃料が少なくなっていることを警告する位置、すなわち、いわゆる第１警告位置に設けられた第１警告センサ３、前記第１警告位置よりさらに下側に設けられ、さらに燃料が少なくなっていることを警告する第２警告センサ４、またエンジン式発電機１の正常作動有無を検知する正常作動有無センサ６、及びエンジン式発電機１の重故障有無を検知するセンサ７など各種設けられたセンサ群と接続される信号取得部１２を有している。
【００２４】
なお、警告センサはこれらに限定されるものではなく、各種の警告用センサを搭載できる。
さらに、情報収集管理ボックス２は、前記信号取得部１２から取得した前記各センサ３，４、６、７からの各警告信号などを、各々対応する様な警告文章に変換制御する変換制御部８を有しており、これらは情報収集管理ボックス２内に設けられているＣＰＵなどで構成された制御部１３で形成される。
【００２５】
さらに、情報収集管理ボックス２は、前記変換制御部８により警告信号が対応する警告文章に置き換えられた警告文を、インターネットなどの通信回線網９を介して各携帯端末１０へ送受信する送信受部１１をも有している。
なお、符号１０は、前記情報収集管理ボックス２と送受信を行う携帯端末であり、前述のように携帯端末１０は、前記送受信部１１から送信された警告文を、例えばe−mailなどによって受信するものとなる。  
【００２６】
しかして、前記情報収集管理ボックス２を当該エンジン式発電機１に接続し、前述した燃料タンク５の各警告センサ３、４及びエンジン式発電機１の正常作動の有無を検知する正常作動センサ６、エンジン式発電機１の重故障を検知する重故障検知センサ７などと信号取得部１２などとを接続する。
【００２７】
なお、前記情報収集管理ボックス２の電源１４は、当該エンジン式発電機１搭載の電池より取得することもできる。
ここで、情報収集管理ボックス２内の送受信部１１は、例えば、インターネットを経由してe−mailでの自動通報可能にする、すなわち送受信を制御する送受信制御機器及び送受信器とを有して構成されている。
【００２８】
なお、ここで、送受信制御機器としては、例えばダイヤルアップルータが例としてあげられる。ダイヤルアップルータとは、公衆回線網を使ってインターネットサービスプロバイダにアクセスする機能と、LANに接続する機能をあわせ持った機器を称するものであり、いわゆるLANに接続された情報収集管理ボックス２や携帯端末１０あるいは携帯コンピュータからインターネットへの接続要求があると自動的に接続し、通信が終わると自動的に切断する機能を持つ。そして、複数の携帯端末１０や携帯コンピュータ、デスクトップコンピュータを、特別な設定をすることなく同時にインターネットに接続させることができるものである。
【００２９】
そして、公衆回線側は例えば、ひかり回線、携帯電話回線やISDN回線に、LAN側は例えば、10BASE-Tあるいは100BASE-Tに対応したものが一般的である。
次に、前記情報収集管理ボックス２は、前記エンジン式発電機１に対して、外付けにすることはもとより、エンジン式発電機１本体のパッケージ内への取り付けも出来る。
また、接続をケーブル化して前記情報収集管理ボックス２を独立タイプにすることもできる。
【００３０】
さらに、前記情報収集管理ボックス２の電源１４となる電池は、前記したように、エンジン式発電機１の起動に使用されているものを利用しても構わないし、エンジン式発電機１に別途搭載された電池又はその他外部電源を使用しても構わないものである。
図１及び図２は情報収集管理ボックス２をエンジン式発電機１に取り付けた状態の外観図であり、図１は取り付けた情報収集管理ボックス２をカバー１５で覆い破損防止を意図したものである。
【００３１】
次に、本件考案の使用状態につき説明する。
【００３２】
まず、燃料タンクの燃料残量が一定以下（設定）になった時点で、前記第１警告センサ３がその位置を検知して、警告信号を信号取得部１２に送信する。信号取得部１２では取得した警告信号を変換制御部８に送り、変換制御部８ではこの警告信号を対応する警告文章に置き換える。例えば、『燃料が少なくなりました』との警告文章に置き換える。そして、当該警告文章は送受信部１１により、登録してある携帯端末１０（携帯電話等）に、いわゆる前記の警告メッセージを送信する。
【００３３】
更に、さらに燃料が少なくなっていることを再度警告する第２警告センサ４が当該警告信号を前記信号取得部１２へ送信する。そして、送信された警告信号は変換制御部８へ送られ、対応する警告文章に置き換えられる。例えば、第１回目の警告メッセージの発信から例えば、45分たった時点などを設定して再度警告メッセージが発信される。
例えば、『燃料を入れてください』などのメッセージとして発信する。
【００３４】
次に、本考案によっては、エンジン式発電機１の作動停止を複数台同時に携帯電話等携帯端末１０のメール機能を使用して実施することも出来る。すなわち、複数のエンジン式発電機１・・・に接続されている情報収集管理ボックス２・・・の各々の携帯端末１０・・・を指定し、該携帯端末１０からe-mailなどで発電機１の作動停止を要求した信号を送信すると、これを受信して発電機１がその作動を停止するのである。そして、停止した時点で、設定されている送信先の携帯端末１０に停止のメッセージをメール配信するものとなる。その例としては、『No．3発電機が停止しました』とのごときである。
【００３５】
また、設定した時間ごとに発電機１の稼働状況を送信するよう設定されている場合には、その配信先（例えば携帯電話など携帯端末１０）に設定した時間ごとに発電機１の稼働状況を送信する。
例えば、『No．5発電機は稼動しています』『No．4発電機は停止しています』との文章のごときである。
【００３６】
このように、例えば、当該発電機１から離れている場所にいても、登録されている携帯電話等の携帯端末１０に該発電機１の燃料枯渇状況や作動状況が通知される。従って、作業者は発電機の状況を直接見廻る頻度を急激に減らすことができ、また、効率的に給油作業等を実施することも出来るものとなる。
また、複数の管理する発電機１の内、対象とする任意の発電機１の情報収集管理ボックス２にメールを送り、その発電機１の状況を返信させることも出来る。
【００３７】
更にトラブル等により緊急停止した場合にも、発生直後に『停止』が通知されるので、作業者が即対応出来るようになり、停止の影響を最小限にすることが出来る。
また、直接に作業エリアを担当しない管理者等に対しても、同様のメッセージを送信することにより稼働状況の確認を管理者自身がすることも出来る。
【００３８】
従って、従来のように現地サーバ等の大規模な通信設備を設ける必要がないものとなる。
また、予め設定した携帯電話・パソコン等の端末に当該発電機に関する情報メールを直接送信し、発電機の状況を認識させることができるし、複数の携帯端末１０・・・に同時に発信することも出来、複数人に所定の発電機１の状況を認識させることもできる。
【符号の説明】
【００３９】
１      エンジン式発電機
２      情報収集管理ボックス
３      第１警告センサ
４      第２警告センサ
５      燃料タンク
６      正常作動有無センサ
７      情報端末機器
１０    携帯端末
１１    送受信部
１２    信号取得部
１３    制御部
１４    電源
１５    カバー  
【図１】
0003156077.tif 000003
【図２】
0003156077.tif 000004
【図３】
0003156077.tif 000005
【図４】
0003156077.tif 000006
【図５】
0003156077.tif 000007